(57)【要約】印刷本の複写コピーを含む電子コンテンツを発行し、前記印刷本自体を介して前記電子コンテンツへのアクセスおよびナビゲーションを行うシステムおよび方法である。各印刷本は、前記電子マルチメディアコンテンツの基本的な部分を静止して表すものとして機能する。前記印刷本はまた、完全な電子マルチメディアコンテンツへのアクセスおよびナビゲーションを行うための主な手段として機能する。
2008519329.tif 000002
【特許請求の範囲】
【請求項１】
既定の印刷本タイトルを固有に識別するアクセスコードを含む可視マークをそれぞれ備える、一つまたはそれ以上の前記既定のタイトルの装丁された印刷資料を配布し、
印刷資料に相関するオンライン電子コンテンツを、前記一つまたはそれ以上の装丁された印刷資料が配布されたエンドユーザに提供し、
前記エンドユーザによる前記アクセスコードのオンライン入力を有効化することにより、前記エンドユーザによる前記オンライン電子コンテンツへのアクセスを制御する、発行方法。
【請求項２】
前記可視マークはまた、仮想の装丁された印刷資料に相関するオンライン電子コンテンツの登録ロケーションを示すリンク情報を含む、請求項１に記載の発行方法。
【請求項３】
前記制御は、前記登録ロケーションでの前記エンドユーザによるアクセスを、前記エンドユーザが規定のオンライン登録要件を満たすまで、前記オンライン電子コンテンツの規定される部分に限定して許可する、請求項２に記載の発行方法。
【請求項４】
電子マルチメディア情報システムへアクセスし、印刷本を介して複数の媒体を求めて電子マルチメディア情報システムを検索する方法であって、
普及装置のフォームファクタまたは構成に関わらず、即座に発行できる方法を利用して、マルチメディアコンテンツを開発し、既存のマルチメディアコンテンツを変換し、
前記マルチメディアコンテンツの静止版を、電子的フォームファクタで前記マルチメディア情報をナビゲートする主な手段として機能する印刷本を含むフォームファクタに発行し、
格納された前記電子マルチメディアデータへのアクセスを行うための複数の方法を利用し、各印刷本に固有識別コードを提供し、
インターネットアドレスまたはポインタロケーションで前記マルチメディアコンテンツを掲示し、
特定のタイトルで固有な各印刷本に、前記インターネットアドレスまたは前記マルチメディアコンテンツへのポインタを提供し、
前記マルチメディアコンテンツの前記電子具現への特権したアクセスを判断するために複数のコンピュータ装置を利用し、
前記指定の制御により、前記マルチメディアコンテンツの前記電子具現へのアクセスを行うために複数のコンピュータ装置を利用し、
前記印刷本で表された前記電子マルチメディアコンテンツ全体を、２ページ毎のビューで表示するために複数のコンピュータ装置を利用し、
２ページずつ前記電子マルチメディアコンテンツを前後にスクロールするために複数の入力装置を利用し、
前記マルチメディアコンテンツの前記電子具現のいずれかのページにジャンプするための前記指定の制御を行うために複数のコンピュータ装置を利用し、
前記マルチメディアコンテンツを前記ユーザに表示するために複数のコンピュータ装置を利用する、発行方法。
【請求項５】
マルチメディアコンテンツの完全な補完は、前記印刷本に静的に保存されるマルチメディアコンテンツの内容を超えて可能である、請求項４に記載の発行方法。
【請求項６】
書籍に印刷されたイメージは、前記電子具現で動画化される、請求項４に記載の発行方法。
【請求項７】
前記印刷本は、開発工程または発行工程のいずれの間においても、コンテンツまたは形式の変更を必要としない、請求項４に記載の発行方法。
【請求項８】
パスワードおよびリンク情報は、前記読者に目立つように見やすく前記書籍に印刷されている、請求項４に記載の発行方法。
【請求項９】
個々の印刷本の購入を通した前記オンライン情報へのアクセスは、更新可能な規定の期間１人のユーザに制限される、請求項４に記載の発行方法。
【請求項１０】
前記ユーザは、自身に関連する以前の印刷本の購入すべてと、前記電子マルチメディア情報に特権したあらゆる最近のアクセスの期限日とを閲覧することができる、請求項４に記載の発行方法。
【請求項１１】
認定された機関による、前記個々の印刷本の購入を通した前記オンライン情報へのアクセスは、更新可能な特定の期間、同時にオンラインユーザとなった規定の人数に制限される、請求項４に記載の発行方法。
【請求項１２】
さらに、規定の重要なデータ入力項目で、個人的な人口統計データまたは地理的位置データ、あるいはその他の情報を自主的に入力するユーザに対して、インクリメンタルに報酬を与え、前記報酬の付与は、前記ユーザが後日金銭的価値の高いものと交換するために貯めるポイント形式をとる、請求項４に記載の発行方法。
【請求項１３】
前記印刷本は教科書であり、ここで前記ユーザは１人またはそれ以上の生徒であり、マルチメディアコンテンツの開発はインストラクターにより行われ、共有インターネットアドレスは、既定の教育期間に関係して一時的に与えられ、前記マルチメディアコンテンツを表示するためのコンピュータ装置の使用は、既定の教育期間、前記１人またはそれ以上の生徒により行われる、請求項４に記載の発行方法。
【請求項１４】
印刷本の複写コピーと印刷本の題材に相関するその他のリソースとを含むマルチメディアリソースを含み、前記リソースは、データベースに格納されているアクセスコードにより識別可能であり、
前記印刷本の読者が入力したアクセスコードを、前記データベース内の前記アクセスコードと比較して、前記印刷本の読者が、前記印刷本の前記複写コピーおよび前記マルチメディアリソースを含む前記リソースへアクセスを行うことを可能にするオンライン配布機構とを含む、高機能書籍の発行システム。
【請求項１５】
前記印刷本の前記複写コピーに対応する前記印刷本のハードコピーをさらに含み、前記ハードコピーは、前記マルチメディアリソースの識別およびアクセスを行うために前記読者による入力が可能なアクセスコードを含む可視マークを備える、請求項１４に記載の高機能書籍の発行システム。
【請求項１６】
前記印刷本の１冊またはそれ以上のハードコピーを、１人またはそれ以上の読者に配布する印刷本配布機構をさらに含み、前記印刷本配布機構は、前記アクセスコードの割り当て、および前記アクセスコードを含む前記可視マークを前記印刷本の前記１冊またはそれ以上のハードコピーに添付を行うための機構を含む、請求項１４に記載の高機能書籍の発行システム。
【請求項１７】
前記オンライン配布機構は、前記印刷本配布機構を介して、前記印刷本の前記ハードコピーを正式に取得していない、認証されていない読者による前記マルチメディアリソースへのアクセス制限を行うよう構成される、請求項１６に記載の高機能書籍の発行システム。
【請求項１８】
前記オンライン配布機構であり、
ユーザリクエストに応じ、データベースリクエストを生成し、データベースからのレスポンスを待つよう設定されているサーバを含み、前記サーバは、前記ユーザにエクスポートするために、ハイパーテキスト作成用言語（HTML）または同等の形式表示を作成するために、拡張可能なスタイルシート言語（XSL）テンプレートと統合させるための中間の拡張可能なマーク付け言語（XML）データ形式に生データを変換するよう記述される、
前記サーバに操作可能に接続されるデータベースを含み、前記データベースは、生データおよび、メモリに常駐しプロセッサで実行するインストラクションを含み、前記生データは、前記マルチメディアリソースを表し、前記インストラクションは、前記サーバに応答するリクエスト／レスポンス機構を表し、前記サーバからのリクエストに応じて前記生データを含むレスポンスを供給するよう設定される、
前記サーバおよび前記データベースは、前記マルチメディアリソースを要求するユーザリクエストに、前記マルチメディアリソースをHTML表示形式で供給して応じる、請求項１４に記載の高機能書籍の発行システム。
【請求項１９】
新規読者を登録するためのオンラインユーザ登録機構と、
前記新規読者が前記読者登録機構を使用する際、規定の重要なデータ入力項目で、個人的な人口統計データ、また地理的位置データ、もしくはその他の情報を入力すると、前記新規読者にインクリメンタルに報酬を与えるよう、前記ユーザ登録機構に操作可能に接続されたインクリメンタルアフィニティ機構とをさらに含み、
前記報酬は、前記ユーザが後日金銭的価値の高いものと交換するために貯めるポイント形式をとる、請求項１４に記載の高機能書籍の発行システム。
【請求項２０】
前記オンライン配布機構に操作可能に接続された管理ユーザインタフェースをさらに含み、前記インタフェースは、前記マルチメディアリソースを、２つ以上の発行者、著者、チャプターおよびページを、インタフェースウィンドウ内のアイコンで表される規則的に配列したフォルダ別に階層的に編成するよう設定されており、これにより１つのフォルダアイコンが開くと、管理ユーザは、前記マルチメディアリソースの中から選択したリソースを前記対応するフォルダにドラッグアンドドロップし、前記マルチメディアリソースから選択したリソースを前記発行者、著者、タイトル、チャプターおよびページフォルダの１つまたはそれ以上に選択的に追加することを可能にする、請求項１４に記載の高機能書籍の発行システム。
【請求項２１】
前記インタフェースはさらに、１人またはそれ以上の新規発行者、著者およびタイトルを仮想フォルダに追加するよう設定されており、また、１人またはそれ以上の新規読者を前記システムの登録エンドユーザのデータベースに追加するよう設定されている、請求項２０に記載の高機能書籍の発行システム。
【請求項２２】
前記オンライン配布機構に操作可能に接続された読者インタフェースをさらに含み、前記インタフェースは、ユーザが新規読者として登録すること、１つまたはそれ以上のタイトル一覧をブラウズすること、一つまたはそれ以上の新規タイトルを、１つまたはそれ以上の登録タイトルの前記一覧に追加すること、前記１つまたはそれ以上の登録されたタイトルのうちの特定の１つの前記複写コピーをブラウズすること、および特定の登録されたタイトルに関連する選択したマルチメディアリソースへアクセスを行うこととを可能に設定されている、請求項１４に記載の高機能書籍の発行システム。
【発明の詳細な説明】
【技術分野】
【０００１】
本発明は一般に出版分野に関し、特に、印刷本とインターネット出版の収束に関する。
【背景技術】
【０００２】
２０世紀の大半に亘り、ハードカバーの装丁による新たな本の商業出版は採算がとれる事業として認識されてきた。ブッククラブや文庫本の売上げにより、より幅広い読者の元に本が届けば利益が得られると考えられていた（The Business of Books、A. Schiffrin著、１０４頁、Verso ２０００年参照。）。２０年以上に及ぶ合併と商業化の末、書籍出版業界およびその構成員となる著者、取次店、出版社、販売会社および小売業者のほとんどが、今日の出版業界の事務的で利益主導型の文化に甘んじている（F. Barringer, "Genteel Changes To Hardscrabble In Publishing", New York Times, B7、２００３年１月１８日参照）。Bowkerによる出版社データベースは、5万を超える出版社をリストに挙げているが、上位２０社が市場の９３％を支配している（The Business of Books、A. Schiffrin著、１０４頁、Verso ２０００年参照。）。上位出版社の多くは、現在主要な巨大メディアコングロマリットの子会社である。出版社が次々と巨大コングロマリットに買収されていき、新たなオーナーたちは、自分たちの新規の書籍部門も、常にはるかに高い利益率（１２〜１５％）を得る新聞、ケーブルテレビネットワークおよび映画といった事業と同じ収入および利益を生み出すことができると強気でいる（The Business of Books、A. Schiffrin著、１０４頁、Verso ２０００年参照。）。
【０００３】
数々の市場動向が書籍出版社に逆向きに働いている。その中には、１）全てのタイトルで採算がとれるように厳しい予算が経営者に圧力をかけていること、２）インターネットなどの破壊的な技術による読者数の致命的な喪失（インターネット上で消費者が費やす時間の増加に対応し、特に若者においてその傾向が強い）(L. Kopp, "Media Industry Pressures are Bearing Down Harder on Publishers", Circulation Management ６頁、２００３年８月参照)、３）小売業者に対する値引きの増加、著者への多額の前払い保障金および高額な制作費により、利益幅が減少したこと、４）書籍販売で売れなかった書籍の返品数が予想できないため、最終的な売上額が予測不能であること、５）全国的な書店の小売チェーンが出版業界へ進出したことによる競争の増加、６）消費者からの反響不足、および、７）中古本の普及などがある (S. Zeitchik, "Publishers Debate Range of Issues at AAP Meeting", Publishers Weekly、２００４年３月１日参照。)。
【０００４】
現在、書籍の販売経路には、従来の書籍小売販売と専門書籍小売販売の二つの経路がある。販売競争は両方で熾烈である。書籍小売販売においては、量販店と販売店の癒着関係のおかげで大手小売チェーンが市場のほとんどを支配している。専門書籍小売販売においては、大型小売店（すなわち、アマゾンやウォルマート）が一般的な販売業界の売上全体の増大する部分を計上しており（H. Green, "Selling Books Like Bacon", BusinessWeek at http://www.businessweek.com/magazine/content/03#24/b3837103.htm、２００３年６月１６日）、書籍の販売売上における競争を増加させている。
【０００５】
書籍の販売売上は詳細に確認されない。業界の基本的な統計は、トピック、体裁および読者を組み合わせた分類により確認することができる。
【０００６】
書籍の価格は体裁およびトピックにより多様である。ハードカバーは文庫本よりも価格がかなり高い。これはある程度真実である。なぜなら、新刊が最初はハードカバーで発行され、高値で売れるためである。文庫本の印刷費用はハードカバーに比べてわずかに低いに過ぎない。
【０００７】
従来の書籍販売の経路における利益性は、消費者に至るまでの販売経路に沿ったそれぞれの段階で予測される販売利益の一般的な条件に基づいている。これは主として、出版社から販売店、その次に量販店、そして書店にわたるという経路をとる。小売価格のうち、小売書店は主にその４０％を得る。量販店と販売店がそれぞれの利益を引いた後、出版社が収益に貢献した分としての約９％と併せて、小売価格の約３５％を得る。このため、小売価格が２０ドルの場合、出版社は７ドルですべての費用を賄わなければならず、約０．６３ドルだけが利益として残る。
【０００８】
娯楽分野は全体として、顧客要求を駆り立てる技術が突如新たに到来するのを切望しており、（"Entertainment & Media Industry Almanac", Plunkett Research, 2004 at http://www.plunkettresearch.com/entertainment/entertainment#trends.htm参照）、書籍出版社もこの例外ではない。出版業界においても、イノベーションに向けた試みがなされて来た。印刷技術は、近年目ざましく進歩してきた領域の一つである。例えば、オンデマンド印刷における低価格および高品質は、自費出版や短期間販売のタイトルをさらに存続可能にしている。別の例として、デスクトップパブリッシング（製品というよりは方法）が過去２０年で普及してきた。
【０００９】
様々な体裁によるオンラインでの読書は、インターネットにより急激に広まってきた。パソコン(PC)の遍在性が、誰しもオンライン読者になれる機会を増やしている。人々は情報や娯楽における必要に応じてインターネットに一層目を向けてきている。ブロードバンドの使い方が急速に伸びていることも、さらに充実したコンテンツに対する要求が依然として強いことを明らかにしている(Nielsen//NetRatings "Increased Number of Broadband Connections Drive Rich Media Usage"、２００４年１月８日参照。)。デジタル形式の書籍も多く見られるようになったが、大手出版社は従来の方法で印刷本の販売および売買を続けている。
【００１０】
電子書籍リーダーのようなその他のさらなる破壊的技術が、過去数年に亘り紹介されてきた。電子書籍（eBook）は、印刷本を完全に置き換えようとする狙いがあるため、さらに破壊的であると言える。現時点では、eBookのような製品は不十分な代用品である。eBookは採用の遅さと販売率の低さで期待を裏切る前に誇大広告の波に乗った。価格（印刷版と同様）と、利用可能なタイトルが限られているという、目前にある問題に加え、eBookの装置は重く、表示画面も見にくい。また、書籍売買の細分化された性質により、eBookがニッチ製品以上のものになることは容易でないかもしれない (C. Zarrow, "E-Pilogue for E-Publishing"、CIO Magazine、２００２年９月１５日参照) 。
【００１１】
消費者は、紙ベースの印刷本との今までどおりのわかりやすい関係に依存したようである。
【００１２】
紙は、過去２０００年に亘って熟達されてきた多用途を持つ技術である。紙は順応性および耐久性を有し、安価で遍在性がある。文字や画像をペン、ブラシ、クレヨン、タイプライターまたはインクジェットプリンタにより保存することができる。共有することも簡単である。落としたり、折り曲げたり、日光の下に晒したり雨に晒しても機能し続ける。紙はデジタル化されていない状態でも良好に機能するが、ハイテクマニアがその代わりとなるものを見つけようと常に躍起になる理由も、これで説明がつくだろう (E. Schonfeld, "Paper That Acts Digital", Business 2.0, at http://www.business2.com/articles/web/print/0,1650,38392,00.htm、２００２年３月４日参照。) 。消費者が必要なのは、近いうちに現れる新しい形の消費者用メディアを利用するための低コストな移行手段である。携帯性と知覚的体験が得られる印刷本と、その豊富さと用途の広さを妥当な価格で得られるデジタルコンテンツとの両者で、従来型（紙）と新規型（デジタル）の間の橋渡しを行うことにより生じる不備に対処する製品が必要となる。
【００１３】
これまでのところ、Zurimedia社が提供する本発明の進んだ高機能書籍システムに含まれる様々な構成要素を作り出した者はおらず、これらの構成要素を組み立てた者もいない。また、これらを書籍出版業界に適用した者もいない。本システムの副次的側面は、eBookおよびAcrobat（登録商標）社のPDFファイルなど、デジタルの形でのみ存在する製品に見られる。書籍に補足的なデジタルコンテンツを提供する者は、幅広い販売方法に反し、これと切り離して行う。通常は不変的でリスクを嫌う業界で成功するために必要とされる知識、またはロバストな機能メニューを誰も提供していない。いずれにしろ、補足的なデジタル印刷本用コンテンツの出現は、インターネットが出版業界に与える影響が必然的であったことを証明している。
【発明の開示】
【発明が解決しようとする課題】
【００１４】
本発明のシステムは、印刷本とインターネットという２種類の定評ある媒体が持つ優れた特質を１つにまとめ、両者に固有の利点を用いてさらに向上した統合体を作成するものである。インターネットの柔軟性と奥深さは、印刷本の具体性と永続性により補完され、発見を目的とした両者を組み合わせた卓越した方法を作り出している。特に、本発明は、インターネット上の電子マルチメディアコンテンツを発行し、一方でこれに対応する印刷本の販売も行う方法およびシステムを含む。完全な形で発行された書籍は、実現可能な動的な電子マルチメディアコンテンツの本質的要素、またはその一部を簡潔かつ静的に表現する。印刷本は完全な電子マルチメディアコンテンツへのアクセスおよびナビゲーションを行うための主な手段として機能する。重要なのは、高機能書籍の読書体験の利点を生かし満足感を得るために、印刷本を読者に再印刷する必要や再配布する必要がないという点である。また、このような高機能書籍の読書体験を可能にするために、発行者の努力をさほど必要としないという点も重要である。
【課題を解決するための手段】
【００１５】
本発明は、電子マルチメディアコンテンツを発行し、同時に電子マルチメディアコンテンツへの印刷媒体を介したアクセスを可能にするシステム、方法および装置を含む。ここでの印刷本は、広義のあらゆる装丁された印刷物または印刷資料を意味しており、題材もしくはテーマで関連付けられると考えられる故にまとめられている。本発明の方法は、a)別々のトピックまたはタイトルに分けられた複数のマルチメディアコンテンツを提供すること、b)オンライン上にコンテンツを掲示すること、c)マルチメディアコンテンツの少なくとも本質的な性質を表すよう読み易くまとめられた、題材に非常に相関する印刷媒体を配布することとを含む。印刷媒体は、同一のタイトルまたはタイトルシリーズに対して認証されたユーザに共通のインターネットアドレスを供給して、マルチメディアコンテンツへのアクセスおよびナビゲーションを行うための主要な手段を提供する。本方法はさらに、d)各タイトルの各印刷されたコピーに固有識別コードを印字または添付すること、e)各ユーザが関連するタイトルまたはタイトルシリーズおよび対応する固有識別コードまたは複数のコードを特定するために、共通のインターネットアドレスへのアクセスを可能にすること、f)各固有識別コードにどのタイプのアクセス権が関連付けられているかを判断すること、g)印刷媒体に対するユーザの関わりを示す追加の情報を入力するようユーザに要求すること、h)入力コードをデータベースと比較し、当該ユーザが認証されたユーザであるかどうかを確認すること、i)認証されたユーザがマルチメディアコンテンツにアクセスする間、ユーザの好みおよび行動を追跡し記録すること、j)最近および以前に認証した購読タイトルを示すウェブサイトページ、または同様の電子的ロケーションをユーザに提供すること、k)認証タイトルのいずれか１つが選択されると、印刷媒体のこれと一致する複写（例えば、単語毎、ページ毎の）コンテンツを含むウェブサイトページまたは同様の電子的ロケーションを表示すること、l)主要なディレクトリおよびオンラインコンテンツのナビゲーション用ガイドとしての印刷媒体が、ユーザの手元にあることを想定し、オンラインコンテンツの少なくとも独立したナビゲーションを提供すること、m)印刷媒体自体に含まれている内容を補足する情報および／またはマルチメディアにより、印刷媒体の内容を完全に補完するために、印刷媒体の内容を囲むディスプレイの余白部分で、印刷媒体と一致する内容を表す領域からのリンク、または別のメニューからのリンクを表示することとを含む。認証されたユーザの好みおよび行動を追跡し記録することは、多くの認証されたユーザに属すデータの蓄積を可能にし、商取引後にシンジケートを組織したり、宣伝活動を行ったりするためにこの蓄積データを搬送することを可能にする。
【発明を実施するための最良の形態】
【００１６】
図１および２において、書籍などの印刷媒体を介した電子マルチメディア情報システムへのアクセスおよびナビゲーションを行うためのシステム、方法および装置を表すネットワークトポロジーが図示されている。最初にユーザは、個別のタイトルコードおよびURLを付属した印刷本２０を購入し、これによりユーザは、インターネットアクセスデバイス２２により、インターネット２３を介して対話２１が可能となり、関連するオンライン電子マルチメディアコンテンツにアクセスを得る。このため、たとえユーザが、この印刷本２０が高機能書籍２０であり、関連するオンライン電子マルチメディアコンテンツを持つことを認識していたとしても、インターネット２３上のオンライン電子マルチメディアコンテンツへのアクセスはいずれにしろこの印刷本２０から始まる。
【００１７】
印刷本２０とインターネットアクセスデバイス２２との対話２１は初め一方向で、印刷本２０に対応するコードおよびURLは、図１の２４で示されるデータセンターネットワーク１といったウェブサイトポータルへリンク情報を表す。データセンターネットワーク２４は、ここではZuri（登録商標）システム１などZuri（登録商標）システム３５として参照される先に、操作可能に接続される。
【００１８】
複数あるZuri（登録商標）システム１−ｎを代表するZuri（登録商標）システム１は、本発明の一実施の形態によると、制限付きアクセスを許可するファイアウォール２５から、プライベートスイッチ２６を介して、バックオフィスZuri（登録商標）システムリソースと呼ばれる後述するプライベートリソースへのアクセスを含む。ファイアウォール２５は、フロントオフィスシステムリソースと呼ばれるパブリックスイッチ２７およびパブリックフロントサーバ２８を含んだ特定のパブリックリソースへのパブリックアクセスを許可する。
【００１９】
プライベートスイッチ２６により、バックアップサーバ２９、データベースサーバ３０、管理用サーバ３１、広告用サーバ３２および第三者用サーバ３３を含むZuri（登録商標）システムのバックオフィスリソースへのアクセスが得られる。当業者ならば、第三者プロバイダが独自のアクセスプロトコルを所有することがわかるであろう。このため、システムのブロック図にある第三者用サーバ３３は、本発明のe番目のシステムが、第三者プロバイダが提供するサービスを利用したり使用したり、もしくはライセンス化できるということを示しているだけである。第三者プロバイダは、Zuri（登録商標）システムが管理用サーバ３１を介してアクセス可能なアプリケーションやデータベースを有することができる。このため、第三者用サーバ３３はアクセス制限区域３４の外側に図示されているが、通常この区域へのアクセスは、第三者プロバイダのアクセスプロトコルで制御されることがわかるであろう。
【００２０】
当業者ならば、プライベートスイッチ２６が、ファイアウォール２５を介して、データセンターネットワーク１によりデータベースサーバ３０（またはデジタルコンテンツサーバ）、バックアップサーバ２９（任意だが周波数の需要に応じて必要となる）、管理用サーバ３１（目的および機能の詳細は図１０〜図１１を参照して以下に詳細に説明する）、広告用サーバ３２（ユーザインタフェース画面の余白部分に広告および商業関係のリンクを貼ることについては図８〜図９を参照して以下に詳細に説明する）およびパブリックフロントもしくは対向サーバ２８（消費者のコンテンツすべてを取り扱う）のいずれかへのアクセスを可能にすることがわかるであろう。
【００２１】
図１から、当業者ならば、図示されているように、バックアップおよび／または冗長を実質的に無制限に行うために、ｎ個の補足データセンターネットワーク３６、３８を本システムを含んでもよいことがわかるであろう。各補足データセンターネットワーク、例えばネットワーク２−ｎはそれぞれ、対応する補足Zuri（登録商標）システム、例えばZuri（登録商標）システム２−ｎに操作可能に接続される。
【００２２】
図１に示すネットワークトポロジーは、印刷本２０を所持したエンドユーザが、パソコン（PC）によりインターネットを介して、安全なキャビネット３３に置かれている高機能書籍の機能へアクセス可能となることがわかる。本発明によれば、ある特定の印刷本タイトルの電子的に複写した具現（embodiment）には、登録エンドユーザが予め定義されたURLに接続し、自身の認証を行い、当該印刷本の個別認証コードを入力するだけでアクセスが可能である。一般にエンハストブックの機能は、印刷本を補足するために展開、維持されているデジタルコンテンツを含む。多重データセンターネットワーク、ファイアウォール、パブリックおよびプライベートスイッチは、管理ユーザが維持を行うデータベース、バックアップサーバおよび広告用サーバへのエンドユーザのアクセスを制限するので、印刷本の発行者および著者は、当該印刷本を最新で興味を引く内容にしておくことができる。
【００２３】
図２は、一般的な読者であるユーザが、本発明のシステムの一部を構成する高機能書籍リソースにアクセスする方法を示す概略構成図である。当業者ならば、図２は読者の観点で表されているが、このデータセンターネットワーク２４およびZuri(登録商標)システム３５の内部の働きが読者には実質的に見えないことがわかるであろう。言い換えれば、一般的な高機能書籍の読者は、このようなシステム構成を理解する必要はなく、ただインターネットへのアクセスおよびログオンの手続きの基本を理解すればよいのである。当業者ならば、高機能書籍およびこれに関連するマルチメディアリソースのナビゲートには、図５を参照して以下に説明する、単純明快なユーザインタフェースも含まれていることがわかるであろう。
【００２４】
図２は図１のネットワークトポロジーに適合するため、この概要を参照すると高機能書籍へのアクセスを理解し易くなる。高機能書籍へのアクセスは、図５、図６a〜図６c、図７a〜図７c、８および９を参照して以下にさらに詳細に説明する。
【００２５】
図2は、本発明の一実施の形態による、印刷本のハードコピーに記載されている可視マーク（visible indicia）を入力して、ユーザが高機能書籍にアクセスする方法を図示している。可視マークは、印刷本２０に関連するアクセスコードなどの固有識別コードおよびURLなどのリンク情報が含まれることが望ましい。一般にアクセスは、図１に個別に図示されているように、インタフェース２１、インターネットアクセスデバイス２２およびインターネット２３を介する。インターネット２３は、ユーザを１つもしくはそれ以上のウェブサイトサーバ４４にアクセス可能にし、それぞれにおいてユーザは、高機能書籍を購入するためのログインおよび登録ができる。このため、ユーザログインまたは登録４５行うには、一般的にはユーザが個人識別情報を４６に、固有識別コードまたはアクセスコードを４７に、パスワードを４８に入力してから、これらに不備があればアクセスが制限される印刷本２０に対応する特定のタイトル４９の電子マークへのアクセスが許可される。
【００２６】
当業者ならば、ブロック４９が、読者またはエンドユーザによる制御されたアクセスを介して利用可能な制限付きリソースを含むことがわかるであろう。双方向を示す制御線２１は、印刷本２０のオンライン電子コンテンツを使用するエンドユーザによるオンライン探求の対話的性質を表す。言い換えれば、高機能書籍を読むことは、テレビを見たり、さらには従来の印刷本を読んだりというような消極的な行動ではない。むしろ、本発明のシステムのエンドユーザは積極的にリクエストをしたり、画面上のボタンをクリックしたり、ページをめくるなどしてそれらの結果を見るのである。
【００２７】
図５を参照した以下の詳細からわかるであろうが、エンドユーザによるアクセスは識別およびログイン（または、すでに登録済みの前のエンドユーザ用にダウンロードされたクッキー）で制御されており、このことにより、制限が付いた電子具現４４は印刷本２０と共にエンドユーザに効果的に「判読可能」となる。当業者ならば、本発明による制限付きの電子具現４９が、その認証および監視をZuri（登録商標）サーバの下に置くが、収納および維持は発行者によることがわかるであろう。
【００２８】
タイトルコンテンツ管理は、図３に、エンハンスド印刷本２０の提供を所望する発行者または著者―発行者の観点で図示されている。このようなタイトルコンテンツ管理は、一般に、本発明の下でライセンスを受けるため、本発明のライセンシーだけに有効となる。
【００２９】
タイトルコンテンツ管理を、コンテンツソース５０が有効であること、または作成されていることを基本にしており、このコンテンツソースは既存の印刷本２０、または関する電子（例えばマルチメディア）コンテンツを有する新規の高機能書籍タイトルが可能である。言い換えれば、図３に示されているように、コンテンツソース５０は、高機能書籍のコンテンツソース材料として見越されるものを表す。
【００３０】
このため、高機能書籍のタイトルコンテンツ管理は、１ページまたはそれ以上のページ、テキストおよび画像配置機能５１および高解像画像５２を含むマルチメディアコンポーネントを備えたコンテンツソース５０を特定することを含む。本発明の一実施の形態によると、このようなコンテンツソース材料は、発行準備完了ファイルエクスポート機構５３に送られ、これにより、発行印刷本製造手段５４および掲示準備完了ファイル変換手段５５への印刷資料のエクスポートが可能となる。発行印刷本製造手段５４で製造された本からのアウトプットは、図６a〜６cを参照して以下で説明する、関連コードおよびURLを付属した印刷本２０である。
【００３１】
掲示準備完了ファイル変換手段５５からのアウトプットは、ここで仕様のコンフォーマンステスト５６に送られ、高機能書籍の発行者が高機能書籍のコンテンツおよび機能の品質を保証することができる。前記テスト処理５６からのアウトプットは、エンハンスド電子マルチメディアの機能を備えた高機能書籍をオンラインに載せる公開処理である。補足コンテンツ５８（これ以外の種類のマルチメディアファイルの中で高解像画像５２を含み得る）は、オンラインコンテンツが展開される前に、補足デジタルコンテンツの添付方法５９を介してコンテンツソース５０に追加されてもよい。
【００３２】
オンラインコンテンツの展開は一般に、印刷タイトルが公開されると同時に完了し、一方で後から追加する補足デジタルコンテンツがある場合、それを進行中のベースコンテンツに追加することができる。このため、例えば、パソコン（PC）や同様の装置６０で認証を受けた高機能書籍の読者である登録したユーザが書籍を購入する際に利用可能である。当業者ならば、高機能書籍タイトルへのログオンおよび登録時に、前記オンライン電子（例、マルチメディア）リソースにアクセスするために、印刷本２０の読者が登録ユーザコードおよびURLの搬送２１を行うことがわかるであろう。このログオンおよび登録処理は、図５を参照して以下に詳細に説明する。
【００３３】
図４を見ると、図３で展開した電子コンテンツが構成上の観点で図示されている。当業者ならば、この構成が複数のレベルを含む階層を成し、他のレベルへの論理アクセスを可能にするものであることがわかるであろう。この構成は、所定のデータベース構成に基づき構成されたファイルを実際に配置するという、仮想的でありながら目に見える構成は階層的であってもよい。例えば、レベル１(６６)での、発行社１および２−ｎ(６３および６４〜６５)に関するデータへのアクセスは、各発行社に関連する対応の著者１および２−ｎ(６７および６８〜６９)へのアクセス、並びにレベル２(７２)での対応の発行社その他７０および発行者ウェブファイル７１へのアクセスを可能にする。同様に、著者１および２−ｎへのアクセスは、各著者に関連する対応のタイトル１および２−ｎ (７３および７４〜７５)へのアクセス、並びに、レベル３(７８)での対応の著者その他(７６)および著者ウェブファイル(７７)へのアクセスを可能にする。
【００３４】
同様に、タイトル１および２−ｎへのアクセスは、レベル４(８２)での各タイトルに関連する対応タイトルチャプター(７９)へのアクセス、並びに、タイトルその他(８０)およびタイトルウェブファイル(８１)へのアクセスを可能にする。同様に、タイトルチャプター(７９)へのアクセスは、レベル５(９６)での対応のチャプター０および１−ｎ(８３および８４〜８５)へのアクセスを可能にする。同様に、チャプター０(８３)へのアクセスは、このチャプターに関連するページ０および１／２―ｎ／ｎ+１(９７および９８〜９９)へのアクセス、並びにこのチャプターに関連するチャプターその他(１００)へのアクセスを可能にする。同様に、ページ(９７〜９９)へのアクセスは、レベル(１０４)での各ページに関連する対応のページその他(１０１〜１０３)へのアクセスを可能にする。最後に、レベル７(１０４)での、ページ(１０１〜１０３)へのアクセスは、次のレベルでの、音声、映像、画像、ページ／テキストおよびその他(１０５〜１０９)を含む対応のその他へのアクセスを可能にする。
【００３５】
当業者ならば、階層構成が、本発明のシステムにおける発行者または管理ユーザが行う更新処理を容易にすることがわかるであろう。例えば、既存のタイトルに補足項目を追加する場合、その一連に含まれるすべてのタイトルもしくは既定の著者によるすべてのタイトルに反映させる必要はなく、タイトルインデックスまたはレベル２(７２)によってこれを行うことができる。反対に、既定の著者または発行者を含むすべてのタイトルに補足項目を追加することは、著者または発行者によりレベル１または２(６６または７２)で、これらのタイトルすべてを補足するよう一度に行う必要がある。
【００３６】
管理ユーザインタフェースに含まれるフォルダを使用すると、印刷本の電子コンテンツの更新または補足が非常に容易になる。このため、本発明の一実施の形態によると、高機能書籍の電子コンテンツの補足または更新は、補足項目をクリックし、管理ユーザインタフェース画面に表示されているフォルダ階層チャート内の１つのフォルダアイコン上でドラッグアンドドロップすることにより容易に行える。当業者ならば、電子コンテンツの編集、補足または更新を行う別の方法が、本発明の精神および範囲内で実施されることを意図できるとわかるであろう。
【００３７】
図５を参照して、エンドユーザのさらに詳細なアクセス制御を示すフローチャートを説明する。最初にエンドユーザは、高機能書籍をブロック１１０で購入する。高機能書籍購入における印刷本部分の購入が可能な場合、ブロック１１１で配達を待つ必要はなく、ブロック１１２に進み、エンドユーザは印刷本２０を読むを実行できる。高機能書籍購入の印刷本の購入部分が可能ではない場合、エンドユーザは書籍の供給者からアクセスコードを取得するか、もしくは印刷本が配達されるのを待たなくてはならない。本が配達されると、エンドユーザはブロック１１２で印刷本２０を読む（すべてまたは１部）。
【００３８】
ブロック１１３で、印刷本２０の印刷内容を周知したエンドユーザは、高機能書籍のコンテンツおよび機能を探索したいと望む。そして、ブロック１１３で、エンドユーザは、印刷本２０に付属されている例えばURLなどの関連情報を、ワールドワイドウェブまたはインターネット２３のブラウザに入力する。ブロック１１４では、エンドユーザのコンピュータ画面に、エンドユーザが入力したURLに基づき、ブラウザが戻してきたブックタイトルパブリック待ち受けページが表示される。
【００３９】
引き続き図５を参照して、ブロック１１５でユーザが新規ユーザではないと判断された場合、ブロック１１６を介し、この推定されるエンドユーザは、ポップアップログインウィンドウ１２０を介して、ブロック１１９で自動もしくは手動によるログインを行う。もしもブロック１１５でユーザが新規ユーザではないと判断され、かつ、ブロック１１６で判断されるように、エンドユーザのオートログインが設定されていない場合、エンドユーザはポップアップログインウィンドウ１１８を介し、ブロック１１７でユーザ名およびパスワードなどの個人情報を入力し登録を行う。（当然ながら、これも本発明の一実施の形態による。これ以外の表示／インタフェース手段も、本発明の精神および範囲内である。）あるいは、ユーザが新規ユーザであり、ブロック１１９で判断されるように、ここでの登録を希望する場合、ブロック１２０で、ポップアップ登録ウィンドウ１２１を介して、エンドユーザはユーザ名およびパスワードを作成する。
【００４０】
ブロック１２２で、エンドユーザは、ここで書籍登録を行い規制なしのアクセスを得るかどうかを判断する。登録を希望する場合、エンドユーザは、ブロック１２３で書籍から固有識別コードを入力する。タイトルコードが正しく入力されると、ブロック１２４で判断されるように、エンドユーザはポップアップライセンス承諾ウィンドウ１２６を介してブロック１２５でライセンス承諾を閲覧し、ライセンス承諾に同意する。ブロック１２７で判断されるように、エンドユーザがこれらの条項への同意を拒否した場合、エンドユーザはブックタイトルページを介して、ブロック１２８でのオンラインブックのプレビューだけが許可される。（図５のブロック１２２からわかるように、同じプレビューは、新しいブックタイトルの登録を拒否したエンドユーザにも利用可能である）。
【００４１】
あるいは、エンドユーザがライセンス条件を受け入れた場合、ブックタイトルページポップアップウィンドウ１３０を介して、エンドユーザはブロック１２９でオンラインブックの制限なしのブラウズを許可される。エンドユーザインタフェースおよびブックタイトルページ１３０は、図９を参照して詳細に説明する。
【００４２】
本発明の一実施の形態によると、Zuri（登録商標）システム３５により、ユーザは、極めて題材に相関的なオンラインマルチメディアコンテンツまたは電子具現４９で表される領域に向けられる。しかしながら、これ以外にも、ユーザは、インタフェースまたは搬送２１（図１参照）を介して、ポータルウェブサイトまたはインターネットアクセスデバイス２２などの中間的な場所にまず向けられることもある。
【００４３】
図６ａ〜６ｃをまとめて参照し、物理的に存在する印刷本２０と対応するデジタル（例えばマルチメディア）リソースを関連づける構成を説明する。印刷本２０（図６ｃ）は内側ページ１４２を有し、本発明の一実施の形態によると、この内側ページには特定の固有マーク（indicia）を保持する判読可能な印刷ラベル１４３(６ｂ)が含まれる。ラベル１４３のマークは、一実施の形態によると、１３５にブランド、高機能書籍タグ１３９、Uniform Resource Locator (URL)１４０および固有識別コード１４１を配置し、固有識別コードは、それぞれ４桁の英数字からなる５つのフィールドを有する。
【００４４】
当業者ならば、ログインが完了し、ユーザが認証されたユーザであると判断されると、この認証されたユーザは、制限付き（すなわち、アクセス制御）のオンラインマルチメディア情報へのアクセスが可能となることがわかるであろう。マルチメディアコンテンツが、ネットワークサーバまたは分配されたピアーツーピアファイルシステムを含む安全性に適したファイル保存手段により、直接的もしくは間接的にアクセス可能なことは公知である。
【００４５】
図６ａを参照すると、図２のユーザログインまたは登録ブロック４５で、初回ビジターがログインを行おうとすると、ラベル１４３から読み取ったURL１４１、例えばユーザ名１３７などの個人識別情報、およびそれぞれ４桁の英数字からなる５つのフィールドで示される印刷本の固有識別コード１４１を入力する必要があることがわかる。当業者ならば、ラベル１４３が印刷本２０の内側ページまたはカバー、あるいはカバー内側や本の装丁に付属されることがわかるであろう。このため、ラベル１４３を別の場所に配置することも考えられ、これも本発明の精神および範囲内である。
【００４６】
したがって、当業者ならば、図６ａ〜図６ｃが、高機能書籍の作成および使用において一端を担う、物理的に存在する印刷本とこれに関連するデジタル拡張構成との関係を表していると理解できるであろう。印刷本をデジタル化により拡張させようとする従来の試みが成功裏に終わらずにあることはよく知られているが、これとは異なり、Zuri（登録商標）システム３５およびこれに関連するネットワーク構造は、電子コンテンツが変更する度に、書籍の新刊を発行する必要をなくすことができる。なぜなら、本発明のシステムは、印刷本のテキストおよび余白に、コードまたは、小型ワンドのような光電子工学装置により認識を行うマーカーをサブリミナルに、または判読可能に挿入することを必要とする従来技術での落とし穴を回避しているからである。
【００４７】
図６ａ〜図６ｃに図示されているように、表紙を開いた状態の印刷本で、印刷本２０に関連したオンラインマルチメディアコンテンツにアクセスするためのコンテンツロケーションポインターまたはURL１４０および、固有識別コード１４１の両方が現れる。当業者ならば、URLと識別コードの組み合わせにより、認証されたエンドユーザ（読者）が、コンピュータ６０を介して印刷本２０に関連した電子リソースすべてにアクセスすることがわかるであろう。手軽なエンドユーザインタフェースのここでの使用は、図７ａ〜図７ｄおよび図８〜図９を参照して以下に説明される。
【００４８】
上記とは対照的に、本発明のシステムの電子コンテンツの部分は、関連する印刷本に影響を与えることなく更新し続けること可能である。さらに、本発明の利点を得る目的で、発行者が印刷本のテキストに何か付属させておく必要もない。実際のところ、印刷本自体に唯一影響することは、拡張された電子機能を示す固有識別コードが印刷本に付され表示される点である。つまり、すでに流通されている印刷本に後から拡張機能を追加することが可能なことから、印刷本の世界全体が電子拡張機能へと広がる。
【００４９】
ユーザの個人識別情報４６の入力が必要なのは、認証されたユーザだけが本発明の利点を得られることを確実にするためと考えられる。本発明のこの機能は、認証されたユーザだけが高機能書籍リソースへアクセスすることを確実にする。これにもかかわらず、認証されたユーザは、購入して認証されたユーザとなる者が、まだ購入していない印刷本に関連したリソースへアクセスすることが可能である。このため、その必要性が主張されるように、本発明によると、オンライン高機能書籍リソースへの海賊行為または盗用、あるいはその他不正アクセスに対するさらなる安全対策が提供され、以下にこれを説明する。
【００５０】
例えば、本発明は、関連する印刷本の購入が発生しない限り、デジタルリソースの使用を実質的に防ぐさらなる安全対策を提供する。これにより、著者および発行者を知的所有権（IP）侵害から保護する。
【００５１】
書店へ行き、印刷された高機能書籍から識別コードを記憶またはコピーし、本発明のデジタルリソース（印刷本のデジタルコピーも含まれる）へ不正アクセスを図る盗人がいたとしても、身動きがとれないようにしなければならない。このため、本発明の一実施の形態によると、盗難防止機能は、ユーザがログイン手続きを行う間に、一つまたは複数の質問に正確に回答することを求める（質問の正しい答えは、認証されたユーザだけが知り得る）。
【００５２】
例えば、ユーザが正式かつ明らかに認証された識別コードを入力すると、印刷本を購入せずに本発明の高機能書籍の利益を奪おうとして、単に印刷本から識別コードを記憶して書き写した者には知り得ない複数の質問が問われる。これらの質問は、印刷本を所有する者ならば容易に回答できるが、そうではない者には回答がほぼ不可能な質問である。
【００５３】
質問は、例えば、印刷本の２３頁、２行目の３番目の単語というように、印刷本内にランダムに配置された複数の単語に関連する。このようなランダムなキーワードの位置は、印刷本の発行者により設定される。キーワードの選択も、一実施の形態において自動化されている。このような質問をログイン処理時にいくつか問い掛け、すべて正しい答えを求めることにより、不正ユーザのアクセスを防ぐことができる。
【００５４】
もう一つの安全手段も当然ながら、本発明の精神および範囲内に含まれる。POS端末は、既定の印刷本に関連したランダムロケーションコードを割り当てることができる。これにより、関連する拡張リソースを備えた印刷本を販売後に再販売をする場合でも、海賊行為による収入の損失を防ぐことができる。
【００５５】
図７ｂおよび図７ｄは、印刷本を対向ページ１２２頁と１２３頁（図７ｂ）で見開いた状態と、対向ページ１２４頁および１２５頁(図７ｄ)を開くようページがめくられている状態を示している。図７ａおよび図７ｃは、図７ｂおよび図７ｄで示した印刷本に対応する印刷本２０のオンライン複写を、それぞれ１４７および１５４で示している。
【００５６】
１２２頁および１２３頁での印刷本イメージ１４９と、ディスプレイ１４５でのオンライン本イメージ１４７との関係を矢印１４８で表す。めくった１２４頁および１２５頁での印刷本のイメージ１５６、１５７と、ディスプレイ１５２でのオンライン本イメージ１５４との関係を矢印１５５で表す。前の対向ページでの印刷本イメージ１４９と、次の対向ページでの印刷本イメージ１５６、１５７との関係を矢印１５１で表す。最後に、前のオンラインページイメージ１４７と、次のオンラインページイメージ１５４との関係を矢印１５０で表す。当業者ならば、ディスプレイイメージがディスプレイ、またはエンドユーザ（読者）のデスクトップパソコン（PC）タワー１４６に操作可能に接続されたモニター１４５に表示されることがわかるであろう。当業者ならば、モニター１４５とタワー１４６が、図７ａおよび図７ｃにおいて６０として一般的に示されていることがわかるであろう。（エンドユーザのパソコンは、当然ながらどのような形状でも可能であり、図３に示す一体型ワークステーション６０、または図７ａおよび図７ｃに示すモニター／本体タワー別型６０’でもよい。また、図示していないがラップトップやPDAあるいはスマートフォンでもよい。）
図７ａ〜図７ｃに図示されている上述したコンピュータのディスプレイ上の２ページ割り付けは、個別のページイメージを希望の大きさにし、希望するフォントや色モデルで現し、体裁（丁付け）およびコンテンツ（テキスト形式、画像形式、自由形式に関わらず）において印刷本２０に近似させることを含み、一方では、印刷本の開かれているページに関係する利用可能なマルチメディアリソースのナビゲーションを容易にするものであると理解される。これらのイメージは、ページに関連するマルチメディアコンテンツに入る入口点として機能し、以下にさらに説明するように、オンラインコンテンツへのパラメータによるアクセスを可能にするいくつかの方法のうちの一つの実施の形態である。
【００５７】
本発明の好ましい一実施の形態によると、ロケーションポインタ１３６は、www.book-title.com、www.publisher.com/book-title、www.enhancedbooks.com/publisher/book-title、www.enhancedbooks.com、またはwww.zuribooks.comなどのURLで示される。当業者ならば、印刷本の読者にマルチメディアやその他の電子コンテンツなどの高機能書籍リソースのオンライン上のロケーションを指示する別の方法が予期できることであり、本発明の精神および範囲内であることがわかるであろう。また、本発明の好ましい一実施の形態によると、固有識別コード１４１は、ここではZuri（登録商標）番号として参照される形で現される。Zuri（登録商標）番号は、例えば、8hfu-L1jv-7zoi-i201-mnpqのような４桁の英数字または特殊文字（アルファベットの場合、読み間違いの可能性が高くなければ小文字が望ましい）が５つのグループで繋がったものである。繰り返すが、当業者ならば、安全性に適した固有識別コードならば、本発明の精神および範囲内で意図できることとわかるであろう。
【００５８】
印刷本とこれに関連するオンラインマルチメディアコンテンツとの関係を簡単にまとめると、印刷本は、対応する電子コンテンツをナビゲートするガイドと考えられる。この関係は、ユーザが最初に印刷本の内容を閲覧し、本の特定のページに落ち着いてから、その同じページ番号をコンピュータ装置に入力して、関連する複写オンラインコンテンツを閲覧するというものである。コンピュータ画面は印刷本２０の選択されたページに対応する、選択ページの２ページ見開き画像を表示する。新しいコンテンツを見るためにユーザが印刷本２０のページをめくるとき、選択した印刷本のページを表わし、かつ選択した印刷本のページを補足するオンラインコンテンツをコンピュータ画面上に表示させるために、ユーザはかなり多くのコンピュータ入力装置または入力方法を使用することもできる。
【００５９】
登録またはログインが成功すると、オンラインマルチメディアコンテンツを閲覧しようとするユーザは、以下に詳しく説明する、図８〜図９にあるようなコンピュータ画面構成を提示される。プルダウンおよび／またはポップアップメニュー、並びにボタンやタブを備えたエンドユーザインタフェースは、エンドユーザおよび印刷本のログインおよび登録を容易にし、また、１つまたはそれ以上のブックタイトルのオンラインコンテンツへのナビゲーション、およびその周辺へのナビゲーションを容易にする。当業者ならば、エンドユーザ用（および管理ユーザ、並びに発行者用）の別のコンピュータ画面構成およびナビゲーション機構が、本発明の精神および範囲内であることがわかるであろう。
【００６０】
一実施の形態による本発明の別の機能には、ログオン、登録またはオンラインセッションの間、エンドユーザにいわゆるZuri（登録商標）ポイントを与えることを含む。Zuri（登録商標）ポイントは、例えば、データベースサーバ３０の一部であるZuri（登録商標）システムエンドユーザデータベースに、エンドユーザがさらに情報を加えると、インクリメンタルな、または累進的な蓄積や報酬を行うことが可能である。エンドユーザが名前を入力すると、Zuri（登録商標）ポイントが１ポイントまたは複数ポイント与えられる。エンドユーザが自宅住所を入力すると、Zuri（登録商標）ポイントが１ポイントまたは複数ポイント与えられる。エンドユーザがe-mailアドレスを入力すると、Zuri（登録商標）ポイントが１ポイントまたは複数ポイント与えられる、等である。規定の報酬システムに基づき、エンドユーザはZuri（登録商標）ポイントを買い戻すことができ、例えば、高機能書籍の無料購読や割引のための料金がエンドユーザの口座に振込まれ、エンドユーザに郵送やe-mailで送られることで、Zuri（登録商標）システムに対する親近感が増すことになる。当業者ならば、Zuri（登録商標）ポイントが、特定の読者による人口統計データまたは地理的位置データの入力以外の活動に報酬が与えられることもあるとわかるであろう。例えば、エンドユーザが、１つの発行者が出版した本を３冊閲覧する。報酬は、エンドユーザがそのうちの１冊を割引価格で購入できるポイントとなる。あるいは、エンドユーザが１人の著者による書籍を２冊の購入する。その報酬は、後日同じ著者による別の書籍を購入する際に割引を充当できるポイントとなる。このため、Zuri（登録商標）のポイントは、エンドユーザの登録状況に関わらず、エンドユーザの活動に対しても与えることができる。
【００６１】
このようにインクリメンタルな、または累進的なオンライン報酬システムは、Zuri（登録商標）システム３５において、エンドユーザの貴重な人口統計データおよび地理的位置データを蓄える。これらのデータは、Zuri（登録商標）システムプロバイダー、発行者、そして、販売や宣伝目的のリンク、ブランド、サービスおよび製品を売り出すためにZuri（登録商標）システムを使用する広告主にとって貴重なものである。
【００６２】
本発明の別の機能を、限定バージョンとしてここでは言及する。例えばＫ−１２（幼稚園から高校３年生までの期間）、コミュニティカレッジ、大学などの教育現場において、教科書を一定期間だけ補足する必要、およびこの補足を既定のクラスに登録した学生に利用可能にする必要がよくある。当業者ならば、生徒の「教室」の設定が、生徒が実在する場にあるのか、もしくはオンライン上にあるのかに関わらず、限定バージョンが有用であることがわかるであろう。
【００６３】
教授は、本発明による拡張された教科書の固有のバージョンまたはビューの提供を望み、生徒らは、印刷された教科書および、そのマルチメディアコンテンツ、および／または補足的記事および／または指導者が特に関連すると指摘するリソースへのリンクなどのオンライン電子拡張機能の利点も得られる。この点における限定バージョンは、既定の教育期間の間、教材を豊かに新しく維持するために、教科書のエンドユーザがオンライン拡張機能の維持と更新を行うことに言及している。ある先生の生徒たちが本を登録する場合、追加の工程として、その特定の先生の固有のバージョンを見るために自分たちの趣向を特定する。ほかの先生は、別のクラスで、同じブックタイトルの彼らの固有のオンラインバージョンでこれを行う。
【００６４】
図８は、本発明の一実施の形態の一部を構成するエンドユーザインタフェースのレイアウトを図示している。エンドユーザインタフェースは、現在のブックタイトル６、目次１５８、その他１５９、マイブック１６０、検索ウィンドウ１６１、前ページボタン１６２、ページジャンプボタン１６３および次ページボタン１６を含むページ送りカーソル制御機構、および本のイメージサムネイル１６６４を現している。インタフェースはさらに、著者／発行者／タイトルバナー１６５、本のイメージサムネイル１６６、本のＩＳＢＮ番号１６７、ユーザＩＤ１６８およびステータス１６９を現している。
【００６５】
縦型バナー広告スペース１７０は、一つまたは複数の広告リンクおよび関連するブランディングを行うよう設けられる。エンドユーザインタフェースでは、図８に２ページ見開きおよび縦ページ分割線（点線）として示しているように、印刷本の複写イメージがもっとも大きく占めている。２ページ見開きのページ番号は１７３に示され、印刷本２０のエンドユーザのデジタル複写のどのページを既定の時間エンドユーザが閲覧しているかを特定する。エンドユーザインタフェースは、ページ送りを容易にする冗長前ページボタン１７１および冗長次ページボタン１７２を特徴とする。最後に、メディアプレーヤーポップアップウィンドウ１７４が、高機能書籍体験の一部として、マルチメディアリソースを見たり、または楽曲を再生したりなどを容易にするために提供される。
【００６６】
当業者ならば、レイアウトまたは機能設定がかなり違うインタフェースを含む、エンドユーザに適したインタフェースが意図されていることがわかるだろう。このため、別のウィンドウレイアウトに、さらに多くのまたは少しの特徴および／または機能を異なってアレンジされた機能が、本発明の精神および範囲内であることがわかるだろう。
【００６７】
以上を簡単にまとめると、標準的なウェブのユーザインタフェース設計技術を用いることにより、マルチメディアコンテンツへのアクセスは、マルチメディアコンテンツの様々な形態を表示したり、または作動させたりするためのポップアップおよび／またはドロップダウンメニューおよび、標準的なメディアプレーヤーを活用することができる。よって、図８は、コンピュータのディスプレイイメージにおける、上記で図７ａおよび図７ｃに関して説明し図示した、印刷本２０とこれと相関するマルチメディアコンテンツに関連するコンピュータの静止イメージを模式的に示していると理解できるであろう。印刷本に見られるテキストや画像などの静止要素には、複写ページイメージに加えて、そのオンライン形式での追加の機能を含むことができる。例えば、好ましい一実施の形態は、追加ページまたは補足マルチメディアコンテンツへの埋め込み型のリンクを含む。本発明の一実施の形態によると、図示されているように、これらのリンクへは、プルダウンおよびポップアップメニューを介してアクセスでき、複写ページイメージを完全に覆い隠すことはない。
【００６８】
このため、例えば、ボクシングの歴史に関するノンフィクションの印刷本は、クリック式メニュー入口のポップアップウィンドウ内にあるメディアプレーヤーを用いて、オンラインで閲覧可能なボクシング映像および／またはボクシングのインストラクションを含んだマルチメディアリソースの図書館へ、認証ユーザをアクセス可能にすることで補足され、また大いに拡張される。同様に、本発明によると、ボクシングに関する印刷本は、クリック式メニュー入口のプルダウンウィンドウ内にあるアクセス可能なテキスト、音声、映像、その他を含む他の関連するオンライン材料にユーザがアクセスして拡張される。あるいは、フライフィッシングをする人を登場人物にしたフィクションの印刷本は、オンラインで閲覧可能なアングルがついた画像や景色を含むマルチメディアリソースの図書館へ、メディアプレーヤーを用いてアクセス可能にすることで補足され、また大いに拡張される。あるいは、遺伝子工学に関する印刷された教科書は、この急速に変化する分野における開発に伴い、本発明によりここで説明される、リアルタイムで相関性が高く、リンク付けされた直接的な方法により生徒がこれらの材料にアクセス可能となることで、リアルタイムで更新および／または充足される。エンドユーザ、管理ユーザ、発行者その他が用いる統括ツールセットは、新たなまたは現存する印刷本の内容を増大しようとするユーザに対し、高機能書籍を容易に利用可能にする。
【００６９】
当業者ならば、図示されたウィンドウを囲むコンテンツにも、本発明の使用とは離れて、もしくは近似で関係するコンテンツがあることがわかるであろう。例えば、高機能書籍プロバイダーにとっての第三者や発行者がこれらのヘッダーや余白を使うことで、関連する製品やサービスを広告することになるかもしれない。また、ヘッダーおよび余白を高機能書籍のプロバイダ自身が使用して、例えば関連するコンテンツプロバイダー、書籍販売者、発行者、著者やタイトル用のリンクまたはポップアップ広告により関連情報を提供することもできる。このため、ヘッダーおよび余白は、製造、販売促進あるいは、プロバイダ、発行者（例、Harcourt Brace）、卸売業者／販売店（例、アマゾン、ウォルマート）、卸本屋（例、パウエル書店）等のブランドおよびロゴ（例、Zurimedia社）に望ましい形に特定されていてもよい。
【００７０】
本発明によると、高機能書籍の一元化の下に置くためのタイトルの修正や更新は必要はない。なぜなら、本発明は、従来技術の方法もそうであるように、光電子工学式スキャナでの読み込み用のサブリミナルコードを、印刷本のテキストや写真または余白に埋め込む方法に頼らないためである。本発明が代わりに頼るのは、太字の判読し易いＵＲＬや太字の判読し易い固有識別コードを、印刷本に付属させる、そのカバー内側のラベルに付す、あるいは高機能書籍タイトルとしての初版の印刷時に印字するといった方法である。このため、印刷本のテキスト、写真またはページ余白は、本発明に記載の印刷本のデジタル拡張機能の影響を全く受けない。
【００７１】
図９はエンドユーザのブックタイトルリストウィンドウであり、エンドユーザのインタフェースが作動する方法を示している。エンドユーザがマイブックボタン１６０をクリックして行った選択は、ディスプレイに太字でハイライトされ、ここで１６０’と表示されている。（当業者ならば、エンドユーザがハイライトされたマイブックボタン１６０’にカーソルを置くだけで、再度クリックしなくてもタイトルのポップアップメニューが縮小サイズで表示されることがわかるであろう。）この選択の結果、エンドユーザの高機能書籍タイトルリストがウィンドウの大部分に表示されるため、このリストをスクロールすれば全てを閲覧できる。（当業者ならば、明瞭にするために図９には図示されていないが、このことが、適当なカーソル制御を使うオンラインブラウズと類似していることがわかるであろう。）選択したタイトルのZuri（登録商標）コードを表示するポップアップウィンドウが１７６に現れ、マイブックにタイトルを追加するための追加ボタン１７７も共に現れる。各タイトルの表紙のサムネイルイメージが縦欄１７８に表示される。図示されているように、タイトルおよび著者の欄、テーマおよび発行者の欄、バージョンおよびロケーションの欄、並びに登録日の欄が表示される。当業者ならば、様々な追加のデータソースが本発明の他の実施の形態でも利用可能に表示されることがわかるであろう。
【００７２】
エンドユーザが追加ボタン１７７をクリックすると、選択リストソート規則（例えば、タイトル別）に従い新しいタイトルがリスト上に現れる。タイトル１７９、著者１８０、テーマ１８１、発行者１８２、バージョン１８３、ロケーション１８４およびデータ登録日１８５がすべてZuri（登録商標）システム３５により記入される。
【００７３】
ウィンドウの残りの部分は上記で説明したとおりである。その他のボタン選択も同様に機能するため、迅速かつ容易なナビゲーション（例えばページ送り）が、高機能書籍の複写イメージだけでなく、Zuri（登録商標）システム自体の複数の機能においても可能な、ロバストなエンドユーザインタフェースが提供される。
【００７４】
図１０は、本発明の一実施の形態による管理処理方法を示す処理全体の流れの簡略な概要図である。管理ユーザは、上記で詳細に説明したように、エンドユーザによるログインと同じ方法によりブロック１９２でログインする。管理ユーザのアクセス権はブロック１９３で確認され、正式なアクセス制御レベルを超えていないか、すなわち、管理ユーザのアクセスが自身の権限を越えていないかを確かめる。最後にブロック１９４で、管理ユーザのコンピュータのディスプレイが開き、認証された管理制御インタフェースおよび電子拡張機能を伴った印刷本１２０の権利化、変換および補足に関わる管理機能を管理ユーザがナビゲートできるようにするクエリーボタンおよび命令ボタンを表示する。
【００７５】
図１１は、管理ユーザインタフェースが管理機能を容易にする方法を示す管理ユーザインタフェースレイアウトウィンドウを示している。本発明の一実施の形態によるインタフェースは、図１１でハイライトされた管理メニュー２０１とその様々なメニューへの入口を含み、BOOKS２０２などの大文字の見出しが含まれる。「BOOKS」見出しの下には、「正式タイトル」、「書籍の変換」、「（タイトルの）検索／閲覧／編集」および「コード発行」を含む複数のボタンがその表示通りの管理機能を表す。ブロック２０４で、「エンドユーザ」の見出しの下に「新規ユーザ追加」がハイライトされていれば、管理ユーザがこれを選択していることがわかる。
【００７６】
新規ユーザ追加ボタン２０４を選択（例えばこれをクリック）すると、通常は２０５で示されるが、関連する表示を画面の右側三分の二に呼び出す。ブロック２０６には「新規ユーザ追加」バナーが現れ、その下には「必要情報」フィールド２０７、さらにその下には、「オプション情報」フィールド２０８が現れる。「必要情報」フィールド２０７は、新規ユーザの「EMAILアドレス」、「パスワード」および「認証パスワード」のフィールドへの管理ユーザによる入力を可能にしていることがわかる。「オプション情報」フィールド２０８は、名前、会社名、住所、電話番号などのさらなる新規ユーザ情報フィールドを含むことがわかる。「ユーザ追加」と表示されているボタン２０９は、選択（例えばこれをクリック）すると、認証エンドユーザデータベースに新たなユーザが追加される。
【００７７】
このため、管理ユーザは、新規ユーザの追加、ユーザの個人情報の編集、印刷本２０に関連する電子拡張機能へのその新規ユーザによるアクセスを許可すると理解できる。管理用ユーザインタフェースは、図１１からわかるように、その他の実質的な機能を提供する。これら機能には、発行者がZuri（登録商標）システムのタイトルにアクセスする権利、またはZuri（登録商標）システムにタイトルを追加する権利を与える、別の管理ユーザに権利を与える、管理ユーザのアクセス権および制御権を確立する、現在の管理ユーザ自身のアカウントにレポートを生成し、その管理を行うなどを容易にする機能が含まれる。
【００７８】
当業者ならば、その他の画面も同様にレイアウトされており、一覧にある各メニュー項目に十分な機能を与えることで、エンドユーザ、発行者およびその他の管理ユーザを管理する上で、管理ユーザが迅速かつ容易にデータ入力できることがわかるであろう。また、当業者ならば、その他の機能および別のレイアウトも、システムの各管理ユーザに与えられたアクセス権および制御権に一部応じて、管理ユーザのインタフェースに設けられることがわかるであろう。インタフェースのこれらの種類は、本発明の精神および範囲内である。
【００７９】
本発明のZuri（登録商標）システム３５の管理ユーザは、図示されているように、少なくともエンドユーザ、発行者およびその他の管理ユーザを含む他の様々なユーザに、様々な使用権を与えることができる。当業者ならば、本発明のシステムが、奥付の使用、著者、広告主およびその他の協力者に属する様々な権利を管理ユーザに与えることがわかるであろう。読み取り専用権利は認識の必要性（need-to-know）ベースで、また、読み書き専用権利はアクセスの必要性（need-to-access）ベースで様々なユーザに与えられる。上述のとおり、エンドユーザにとって制限付きまたは制限なしのアクセス権は、特定の印刷本タイトルに対して、必要な登録すべてをユーザが完了しているか、またエンドユーザが購読に関する条項の条件すべてを承認したかどうかに応じて与えられる。信頼のおける発行者または管理ユーザだけがアクセス権を与えられるべきであり、そして、責任の所在が彼らにあり、契約がなされている特定のタイトルに対してのみ与えられる。
【００８０】
例えば、本発明の一実施の形態によると、最高位の管理ユーザが最も拡張されたアクセス権を保持する。したがって、この最高位の管理ユーザは、低位での管理権利の追加や修正を行うことができる。この筋書きによると、１人の最高位の管理ユーザは、発行者が追加したタイトルに対して新しいタイトルを追加し、その発行者が追加した修正をすべて管理する権利を発行者に渡すことができる。さらに、管理ユーザに割り当てられたその発行者に対する権利のすべてまたは一部を、さらに低位の管理ユーザにも認めることができる。当業者ならば、この階層により、所定の義務と責任を適切な人材に割り当てることが容易になることがわかるであろう。さらに説明すると、ある発行者は、発行者がZuri（登録商標）システムに追加した３〜４個のタイトルに、音声の拡張機能すべてを追加する権利を特定のグループから管理ユーザに与え、ほかのアクセス権や制御権は与えないよう望むかもしれない。
【００８１】
図１２は、サーバからのリクエストの処理およびアクセスリクエストに対するデータベース準備を示す概要のブロック図またはフロー図である。サーバ３１とデータベース３０（図１を簡単に参照して）は、エンドユーザまたは管理ユーザからのリクエストを、クエリー／レスポンスおよび複数の呼び出しを介して協同して処理し、認証された管理ユーザ、エンドユーザ、または印刷本２０の読者に利用可能な電子データまたはコンテンツを作成することにより応答する。ブロック２２０でのユーザリクエストは、示されているように、「リクエスト１」として入出力(I/O)ポート２２１に入力される。これに応じて入出力ポート２２１は、プログラム言語および環境ブロック内でスクリプト１（ブロック２２２）への「呼び出し１」を行う。当業者ならば、入出力ポート２２１が、全二重通信方式、高速接続および高周波数接続の機能を利用する最先端のネットワークポートを表すことがわかるであろう。
【００８２】
スクリプト１は、構造化照会言語(SQL)を利用したクエリーをブロック２２３で作成し、クエリーは入出力ポート２２１を介し、「リクエスト２」を入出力ポート２２４（機能は入出力ポート２２１と同等）を介してデータベース３０に送る。その後、入出力ポート２２４は「呼び出し２」を、これを処理するデータベース３０内のデータベースサーバソフトウェアに送り、ここで生データ２２５は、大容量記憶装置または別の適切な大容量メモリに置かれる。当業者ならば、生データ２２５がエンドユーザデータ、処理データ、システム活動データおよびZuri（登録商標）システムの状態および用途に関する様々なデータを含むことがわかるであろう。例えば、URL（外部ソースへのリンクまたはパスネーム）および／またはマルチメディアやその他のデジタル拡張機能を含めたコンテンツ自体を含む印刷本２０のオンライン電子具現４９（図２参照）の閲覧を求めたリクエストを受けた場合、データベース３０は生データ２２５からこれらの拡張機能を直接供給する／または、パブリックフロントサーバ２８（図１参照）などの別のサーバにリクエストを送る。
【００８３】
生データ２２４は、入出力ポート２２４を介して、サーバ３１のスクリプト２（ブロック２２６）にリクエストを返す。スクリプト２は、ブロック２２７で、生データ２２５から送られたデータの拡張可能なマーク付け言語（XML）または別の適した形式への変換を呼び出す。ブロック２２８では、ハイパーテキスト作成用言語（HTML）データを作成するために、このXMLデータが拡張可能なスタイルシート言語（XSL）テンプレートと組み合わされる。ブロック２２９では、HTMLまたは別の適切な形式に組み合わされたデータが生成され、選択可能に表示され、これにより、ウェブサーバソフトウェアを介してエンドユーザにエクスポートする準備がなされる。HTMLまたは同等のデータ形式は入出力ポート２２１を介して、ユーザリクエストブロック２２０にエクスポートされ、エンドユーザによる閲覧が可能となる。このため、図１２に示されるサーバリクエスト処理機構は、リクエストに応じ、拡張電子コンテンツやその他の情報を、デスクトップパソコン、ラップトップ、PDA、スマートフォンなど少なくとも限定されたキー入力およびディスプレイ機能を提供する対話型装置を目の前にして印刷本を読んでいるエンドユーザに提供する。
【００８４】
当業者ならば、HTML表示を作成するために、XMLまたはこれと同等、およびXSLテンプレートを使用することが、非常に多目的かつロバストなサーバリクエスト処理を実現することがわかるであろう。この方法により、新たな機能を有する構成または機能を容易に追加できるプログラミングの方法が有用になる。この結果得た柔軟性は、機能的アプリケーションプログラム・インタフェースを介した、あらゆるシステムとの統合を可能にする。この方法は、目的にとらわれないコンテンツ（デバイスの閲覧に限定されない）の展開も支援する。最後に、この拡張可能な設計により、地域に限定されない複数のサーバとの対話が可能となるため、迅速に発展が進む用途に合わせてシステムを適応させることが確実となる。
【００８５】
本発明のその他の機能として意図されるものには、消費者生成の認識コードの許可と、課金管理ユーザインタフェースと、特定ページ送信支援と、１つまたは複数の発行者、奥付、著者、タイトルおよびチャプターに関する補足項目の追加と、読者、エンドユーザまたは管理エンドユーザ用カレンダー機能と、消費者（例えば、教育者）向けにカスタマイズされたタイトルと、カスタマイズされたホームページの支援と、相当数のエンドユーザに対する無料閲覧の促進と、音楽ダウンロード目的および、ライセンスおよび／またはベンダーの利用目的のタイアップまたはリンクと、ページ内のHTMLリンクの認識と、第三者プロバイダによる追加サービスや製品のZuri（登録商標）システムへの統合作業の容易化と、発行者、著者およびその他のコンテンツ権利所有者への権利管理ツールの提供と、発行者によるギャラリー閲覧の支援と、ページ毎の複合的なコンテンツ関連広告の支援と、ISBNデータベースへのアクセスと、拡張印刷本またはその他の製品充足項目の統合と、所定のレポートタイプの支援と、発行者および／または管理ユーザ向けの標準型レポート作成用インタフェースと、エラー処理の向上と、よくある質問（FAQ）またはエンドユーザインタフェース内のクエリー／レスポンスウィンドウを提供することが含まれる。
【００８６】
以上をまとめると、本発明のシステム、方法および装置は、印刷本を補足し、さらには動画化することにより、認証された読者が、実質的に制限がなく、読書体験を大幅に拡張するマルチメディアコンテンツに、先例にはない制御されたアクセスを行うことを可能にすると考えられる。その上、印刷本が出版業界に与える衝撃は、新しいタイトルの場合でも古いタイトルの新刊の場合でも小さく抑えられる。実際のところ、出版業界は、最新技術と直感的なマルチメディアコンテンツの拡張ツールとの両方が提供されることによって拡張されている。出版業界における電子商取引は、市場と販売促進との連結により大きく前進しており、その繋がりは、印刷本を取り囲むマルチメディアコンテンツでも発見できる可能性がある。
【００８７】
最後に、当業者ならば、上記で説明および図示した本発明の方法、システムおよび装置が、ソフトウェア、ファームウェアまたはハードウェア、もしくはこれらの適切な組み合わせにおいて実現できることがわかるであろう。本発明の方法、システムおよび装置は、低価格と柔軟性を備えるために、この３つを組み合わせて実現されることが望ましい。したがって、当業者ならば、本発明の方法、システムおよび装置は、コンピュータまたはマイクロプロセッサによる処理で実現可能であり、そこにインストラクションが、コンピュータで読み取り可能な媒体での実行を目的として保存され、適切な専門家により実行されることがわかるであろう。
【００８８】
本発明の一実施の形態は、本発明のシステムおよび方法の観点から上記で詳細に説明された。詳細な説明は本発明を例証したものであって、これに限定はされるものではない。したがって、別の実施の形態が予期され、これらの実施の形態はすべて以下の請求項により定義される本発明の精神および範囲に含まれる。
【図面の簡単な説明】
【００８９】
【図１】図１は、本発明の一実施の形態による、インターネットを基にしたマルチメディアコンテンツへの印刷本を介したアクセスを示すネットワークトポロジーの概略構成図である。
【図２】図２は、読者が、印刷本の電子マークとの組み合わせにより印刷本にアクセスする方法を示す高機能書籍アクセスの概略構成図である。
【図３】図３は、高機能書籍の発行者が印刷用の書籍を準備する方法、およびオンラインリリース用の高機能書籍を準備する方法を示すタイトルコンテンツ管理の概略構成図である。
【図４】図４は、マルチメディアコンテンツを配置するための、高機能書籍の階層をマップ化して示す電子コンテンツ編成の概略構成図である。
【図５】図５は、一般的なブックタイトルにおける、マルチメディアコンテンツへのアクセスを行うためのログインおよび登録手続き並びにポップアップ画面を示したエンドユーザのアクセス制御の図である。
【図６】図６は、識別コードを付属した印刷本と、その背景にコンピュータベースのマルチメディアコンテンツアクセスページを示す概略構成図である。
【図７】図７は、見開いた印刷本のページ毎のレイアウトと、コンピュータ画面上でのこれに対応する見開いた印刷本のイメージとの両者の操作を図解して示す。
【図８】図８は、本発明の一実施の形態による、読者（エンドユーザ）インタフェースのいくつかの観点を示す概略構成図である。
【図９】図９は、本発明の一実施の形態による、読者（エンドユーザ）インタフェースのさらなる観点を示す概略図である。
【図１０】図１０は、本発明の一実施の形態による、管理ユーザが管理制御項目へのアクセスを得る方法を示す概略構成図である。
【図１１】図１１は、本発明の好ましい実施の形態による、管理ユーザインタフェースのいくつかの観点を示す概略図である。
【図１２】図１２は、本発明の一実施の形態による、サーバリクエスト処理の方法を示す概略のフロー図およびブロック図である。
【図１】
2008519329.tif 000003
【図２】
2008519329.tif 000004
【図３】
2008519329.tif 000005
【図４】
2008519329.tif 000006
【図５】
2008519329.tif 000007
【図６】
2008519329.tif 000008
【図７】
2008519329.tif 000009
【図８】
2008519329.tif 000010
【図９】
2008519329.tif 000011
【図１０】
2008519329.tif 000012
【図１１】
2008519329.tif 000013
【図１２】
2008519329.tif 000014
【国際調査報告】
2008519329.tif 000015